(57)【要約】【課題】人工歯根が埋入されてからアバットメントを設計するまでの工程を簡易にすることができる機器を提供する。【解決手段】人工歯根を埋入する際に、人工歯根の回転力を伝達するドライバであって、人工歯根に係合する部位である人工歯根係合部と、回転力を駆動する機器に接続する部位である駆動側係合部と、人工歯根が埋入された姿勢で人工歯根から突出して３次元測定の対象となり、埋入された人工歯根の姿勢を表すスキャン部と、を有する人工歯根埋入ドライバとする。【選択図】図２
2020054475.tif 000002
【特許請求の範囲】
【請求項１】
人工歯根を埋入する際に、前記人工歯根の回転力を伝達するドライバであって、
前記人工歯根に係合する部位である人工歯根係合部と、
前記回転力を駆動する機器に接続する部位である駆動側係合部と、
前記人工歯根が埋入された姿勢で人工歯根から突出して３次元測定の対象となり、埋入された前記人工歯根の姿勢を表すスキャン部と、を有する、人工歯根埋入ドライバ。
【請求項２】
人工歯根と、請求項１に記載の人工歯根埋入ドライバと、を備え、
前記人工歯根は前記人工歯根係合部に係合している、ドライバ付き人工歯根。
【発明の詳細な説明】
【技術分野】
【０００１】
本発明は、歯科の分野において、人工歯根（一般的に、インプラントフィクスチャー、又はインプラントボディと呼ばれることがある。）を歯槽骨に埋入するために回転力を伝達するドライバに関する。
【背景技術】
【０００２】
歯科の分野において、欠損した歯牙の補綴の方法としていわゆる歯科インプラント技術が適用されることが多くなっている。歯科インプラント技術による人工歯根の適用は、従来の歯科補綴物に比べて、より自然歯牙に近い状態とすることができるため利点も多い。
【０００３】
従来のインプラントによる治療は概ね次のような過程で行われる。すなわち、インプラントの適用対象となる欠損部の歯槽骨に孔を開け、ここに人工歯根を埋入する。その後、埋入孔の周囲の歯肉を縫合する。埋入した人工歯根が歯槽骨に十分結合したら、当該部位の歯肉部分を再度切開して埋入された人工歯根に歯科用補綴物を固定するための部材であるアバットメントを取り付け、該アバットメントに歯科用補綴物を配置する。
【０００４】
その際、人工歯根の埋入は、人工歯根をネジのようにして回転させながら行うことが多い。そのため人工歯根に回転力を伝達する人工歯根埋入ドライバが用いられる。人工歯根埋入ドライバには特許文献１や特許文献２に代表されるように様々な形態のものがある。これらは要するに、その一端側が人工歯根の端部に係合し、他端側が回転駆動源となるものに接続される。回転駆動源となる機器としては例えば歯科用ハンドピースが挙げられる。
これにより、回転駆動源からの回転力が人工歯根埋入ドライバに伝達され、さらに人工歯根に回転力が伝わる。
【先行技術文献】
【特許文献】
【０００５】
【特許文献１】特表２００９−５０４２４８号公報
【特許文献２】特表２０１０−５０５５９４号公報
【発明の概要】
【発明が解決しようとする課題】
【０００６】
ここで、上記したアバットメントは、埋入された人工歯根の深さや向き、及び患者の口腔内の状態に合わせて患者ごとに個別に設計され作製される部材である。アバットメントは、実際に埋入された人工歯根の状態に合わせて作製しなければならないので、人工歯根がどのように埋入されているかを知る必要がある。そのため、アバットメントを作製する際には、人工歯根が埋入された後に、コーピングを用いて人工歯根が埋入された姿勢情報（深さや向き）を、アナログ（人工歯根のレプリカ）を含む石膏模型であるアナログ模型に転写することが行われる。そして、当該アナログ模型に基づいてアバットメントが作製される。
【０００７】
ところが、この説明からもわかるように、人工歯根が埋入されてからアバットメントを作製するまでに作業が多く、人工歯根の姿勢情報を得るために非常に手間がかかっていた。また、これらの作業の中には口腔内で行うものもあるため、衛生の観点からもできるだけ時間を短縮することが望まれている。
【０００８】
そこで本発明は上記問題に鑑み、人工歯根が埋入されてからアバットメントを設計するまでの工程を簡易にすることができる機器を提供することを課題とする。
【課題を解決するための手段】
【０００９】
発明者らは鋭意検討の結果、埋入された人工歯根の姿勢を把握するための機器として人工歯根埋入ドライバを用いる着想を得た。人工歯根埋入ドライバを人工歯根の姿勢を把握する機器としても適用できるように構成することで、人工歯根の埋入から、埋入された人工歯根の姿勢の把握、及びアバットメントの設計を簡易に迅速に行うことができると考え、これを具体化することで本発明を完成させた。以下に本発明について説明する。
【００１０】
本発明の１つの態様は、人工歯根を埋入する際に、人工歯根の回転力を伝達するドライバであって、人工歯根に係合する部位である人工歯根係合部と、回転力を駆動する機器に接続する部位である駆動側係合部と、人工歯根が埋入された姿勢で人工歯根から突出して３次元測定の対象となり、埋入された人工歯根の姿勢を表すスキャン部と、を有する、人工歯根埋入ドライバである。
【００１１】
また、人工歯根と、上記の人工歯根埋入ドライバと、を備え、人工歯根は人工歯根係合部に係合している、ドライバ付き人工歯根を提供することができる。
【発明の効果】
【００１２】
本発明によれば、埋入された人工歯根の姿勢を人工歯根埋入ドライバにより知ることができるので、これまで必要であったアナログを有する模型の作製や、スキャンするための専用機器の設置の必要がない。従って人工歯根の埋入から、人工歯根の姿勢の把握、及びアバットメントの設計を非常に迅速に簡易に行うことができる。さらには、口腔内の作業や、人が機器に触れる機会を減らすことができ、衛生の観点からも有用である。
【図面の簡単な説明】
【００１３】
【図１】図１は、ドライバ付き人工歯根１０の正面図である。
【図２】図２は、ドライバ付き人工歯根１０の分解正面図である。
【図３】図３は、人工歯根埋入ドライバ１２の斜視図である。
【図４】図４は、アバットメントの製造工程Ｓ１を説明する流れの図である。
【図５】図５は、人工歯埋入工程Ｓ１０を説明する流れの図である。
【図６】図６は、ドライバ付き人工歯根１０が歯科用ハンドピース１に装着された場面を表す図である。
【図７】図７は、ドライバ付き人工歯根１０が口腔内に配置された場面を示す模式図である。
【図８】図８は、３次元データの作成工程Ｓ２０を説明する流れの図である。
【発明を実施するための形態】
【００１４】
以下、本発明を図面に示す形態に基づき説明する。ただし本発明はこれら形態に限定されるものではない。
【００１５】
図１は１つの形態に係るドライバ付き人工歯根１０の正面図、図２は該ドライバ付き人工歯根１０の分解正面図である。本形態のドライバ付き人工歯根１０は、図６に示すように、歯科用ハンドピース等の歯科用駆動装置に装着されて使用される。
これら図からわかるように、ドライバ付き人工歯根１０は、人工歯根１１及び人工歯根埋入ドライバ１２を有して構成されている。
【００１６】
人工歯根１１は、インプラントフィクスチャー（フィクスチャー）、インプラントボディ（インプラント体）とも呼ばれ、歯を喪失した部分の歯槽骨に埋入されて歯科用インプラントの全体を口腔内に適切に固定するための基礎となる部材である。ここでは公知の人工歯根１１を用いることができる。
従って、例えば人工歯根１１は、軸線に沿って孔を有する有底筒状であり、外面には歯槽骨に係合するための螺状溝１１ａが設けられている。一方、人工歯根１１の筒状の内側には、アバットメント締結用ネジが螺合するメネジが形成されている。
【００１７】
人工歯根埋入ドライバ１２は、歯科用駆動装置からの回転力を人工歯根１１に伝達して人工歯根１１の歯槽骨への埋入をガイドするとともに、当該埋入後には埋入された人工歯根１１の位置、傾斜、向き等の姿勢、及び、種類等の情報を表すスキャン対象となる。より具体的な作用については後で説明する。図３には人工歯根埋入ドライバ１２の斜視図を示した。
そのため、本形態の人工歯根埋入ドライバ１２は、棒状である軸部１３、軸部１３の一端側に設けられた人工歯根係合部１４、軸部１３の他端側に設けられた駆動側係合部１５、及び、スキャン部１６を有して構成されている。
【００１８】
人工歯根係合部１４は、人工歯根１１の内側の孔に挿入され、回転方向において人工歯根１１に係合する部位である。これにより人工歯根埋入ドライバ１２から人工歯根１１に回転力を伝達する。
従って、人工歯根係合部１４の形態は人工歯根１１の形態により決まるものであり、公知の人工歯根埋入ドライバと同じ考え方により構成されていればよい。本形態では一例として当該人工歯根係合部１４が六角柱である例を示した。
【００１９】
駆動側係合部１５は、歯科用ハンドピース等の歯科用駆動装置に接続して回転力を受けるように構成されている。そのため本形態では、回転力が伝達される回転伝達部１５ａと、歯科用ハンドピース等の歯科用駆動装置からの脱落を防止する脱落防止溝１５ｂとを有している。
ただし、駆動側係合部１５の形態は歯科用駆動装置との接続態様に応じて形成されていればよい。
【００２０】
スキャン部１６は、後述するように少なくとも当該スキャン部１６を３次元形状測定することで、人工歯根の姿勢を得て、必要に応じて人工歯根の種類を識別することができるように構成されている。スキャン部１６の形態は、当該スキャン部１６を３次元形状測定することにより人工歯の姿勢や種類を得ることができれば特に限定されることはない。本形態では例としてスキャン部１６は、拡径部１６ａ、傾斜部１６ｂ、切欠き部１６ｃを具備している。
【００２１】
拡径部１６ａは軸部１３より径が大きく形成された柱状の部位である。例えば拡径部１６ａの外周面の傾きから埋入された人工歯根１１の傾斜方向を知ることができる。また拡径部１６ａのうち駆動側係合部１５側の面１６ｄの位置により人工歯根の軸線方向位置（深さ方向位置）を知ることができる。その他、拡径部１６ａの径の大きさ、軸線方向長さ、外周形状により人工歯根１１の種類を識別できるように構成してもよい。
また、本形態では軸部１３より径が大きい拡径部１６ａとしたが、これに限られず軸部１３より径が小さい縮径部を備えてもよい。
【００２２】
傾斜部１６ｂは、拡径部１６ａの人工歯根係合部１４側に設けられ、拡径部１６ａから軸線方向に離隔するに従って径が小さくなる傾斜面を有する部位である。この傾斜部１６ｂにおける傾斜面の角度や傾斜面の軸線方向長さなどにより、人工歯根の傾斜角、軸線方向位置、人工歯根の種類を得ることができるように構成してもよい。
また、ここに傾斜部１６ｂを設けることにより、人工歯根１１を埋入する際に人工歯根１１がスキャン部１６により見えなくなる（死角になる）ことを防止し、作業のし易さを確保することができる。
【００２３】
本形態で切欠き部１６ｃは、拡径部１６ａの面１６ｄと側面との縁の一部を切り欠くように設けられている。これにより、人工歯根１１の回転方向の向きを知ることができる。
ただし、人工歯根１１の回転方向の向きを得るための手段として必ずしも切り欠きである必要はなく、例えば、拡径部に設けた突起、窪み、溝、模様等であってもよい。
【００２４】
上記形態では、各部位が一体となった人工歯根埋入ドライバ１２の例を説明した。ただし、これに限らず、スキャン部を他の部位に対して着脱可能とし、これをスキャン部材として提供してもよい。
これによれば、スキャン部材のみを提供することで、スキャン部を備えていない通常の人工歯根埋入ドライバに対してもスキャン部材を固定してスキャン部を備えるドライバとすることが可能となる。従って、この場合には、通常の人工歯根埋入ドライバで人工歯根の埋入を終えたのち、このスキャン部材を、当該通常の人工歯根埋入ドライバに固定して用いることができる。
【００２５】
次に、人工歯根埋入ドライバ１２を用いてアバットメントを製造する方法の１つの例である、アバットメント製造方法Ｓ１について説明する。図４にはアバットメント製造方法Ｓ１の流れを示した。図４からわかるように、アバットメント製造方法Ｓ１では、人工歯根埋入工程Ｓ１０、３次元データの作成工程Ｓ２０、及びアバットメントの作製工程Ｓ３０を含んでいる。以下、それぞれについて説明する。
【００２６】
人工歯根埋入工程Ｓ１０は、図５に示したように、人工歯根の埋入工程Ｓ１１、及び、歯科用駆動装置の離脱工程Ｓ１２を有している。
【００２７】
人工歯根の埋入工程Ｓ１１は、歯牙の欠損部における歯槽骨に人工歯根を埋入する孔を開け、人工歯根を埋入する工程である。本形態では、図６に示したように、歯科用駆動装置としての歯科用ハンドピース１のヘッド２にドライバ付き人工歯根１０の駆動側係合部１５を装着し、これにより人工歯根１１に回転力を与えながら埋入を行う。
【００２８】
歯科用駆動装置の離脱工程Ｓ１２では、埋入したドライバ付き人工歯根１０から歯科用駆動装置を離脱する。図７にはドライバ付き人工歯根１０が配置された場面の模式図を示した。これにより、人工歯根埋入ドライバ１２が、口腔内に埋入された人工歯根１１を延長する向きに歯肉から突出するように配置されるようになる。
【００２９】
図４に戻って説明を続ける。３次元データの作成工程Ｓ２０は、製作すべきアバットメントの３次元形状データを作成する工程である。３次元データの作成工程Ｓ２０は例えば図８に示したように行うことができる。すなわち３次元データの作成工程Ｓ２０は、３次元計測工程Ｓ２１、データの置き換え工程Ｓ２２、及びアバットメントのデータ作成工程Ｓ２３を含んでいる。
【００３０】
３次元計測工程Ｓ２１は、ドライバ付き人工歯根１０が装着された口腔内の表面形態を３次元計測する工程である。これにより、ドライバ付き人工歯根１０が装着された周囲の口腔内形状、及びここに取り付けられて歯肉から突出した人工歯根埋入ドライバ１２の形状、その中でも特にスキャン部１６を３次元のデータとして取得することができる。口腔内の３次元データの取得は口腔内３次元計測機を用いることが可能である。
データの取得後に人工歯根埋入ドライバ１２は人工歯根１１から離脱される。
【００３１】
データの置き換え工程Ｓ２２は、予め準備しておいた人工歯根の３次元形状データ及びスキャン部１６の３次元形状データを、３次元計測工程Ｓ２１で得た３次元形状データの対応する部位に置き換える工程である。すなわち、口腔内の３次元データのうちのスキャン部１６が配置された部位に、予め準備しておいたスキャン部１６の３次元形状データを当てはめるように置き換える。このとき特に、上記した拡径部１６ａ、傾斜部１６ｂ、及び切り欠部１６ｃの形状が対応付けられることにより置き換えが行われる。
また、当該スキャン部１６と嵌合されていることにより、その位置を導くことができる人工歯根１１の部位に対して、予め準備しておいた人工歯根１１の３次元形状データを当てはめる。
【００３２】
本形態の人工歯根埋入ドライバ１２によれば、当該人工歯根埋入ドライバ１２が、埋入された人工歯根１１の位置、傾き、向き等の姿勢、及び、必要に応じて種類を表しているので、これまで必要であったアナログを有する模型の作製や、スキャンするための専用機器の設置のし直しの必要がない。従って、人工歯の埋入から、埋入された人工歯の姿勢の把握までを当該人工歯根埋入ドライバ１２でできるため、人工歯根埋入からアバットメントの設計までを非常に迅速に簡易に行うことができる。
また、人工歯根１１と人工歯根埋入ドライバ１２とは、埋入の前からスキャンが完了するまで一体であり、離脱させる必要がないため、その位置関係が一定に保たれており、精度よい人工歯根埋入情報を得ることができる。
さらには、口腔内の作業や、人が機器に触れる機会を減らすことができ、衛生の観点からも有用である。
【００３３】
アバットメントデータ作成工程Ｓ２３は、ここまでに得られた３次元形状データに基づいて、患者に適切なアバットメントの形状データを作成する工程である。特にデータの置き換え工程Ｓ２２で精度のよい置き換えができているので、当該精度向上がアバットメントデータにも適切に反映され、より患者に適合したアバットメントのデータを作成することが可能である。
【００３４】
図４に戻って説明を続ける。アバットメントの作製工程Ｓ３０は、上記３次元データの作成工程Ｓ２０で作成された３次元形状データに基づいてアバットメントを作製する工程である。この工程では、例えば当該３次元データをマシニングセンタ等のＮＣ工作機械に提供することにより高精度でアバットメントを作製する。
【符号の説明】
【００３５】
１０  ドライバ付き人工歯根
１１  人工歯根
１２  人工歯根埋入ドライバ
１３  軸部
１４  人工歯根係合部
１５  駆動側係合部
１６  スキャン部
【図１】
2020054475.tif 000003
【図２】
2020054475.tif 000004
【図３】
2020054475.tif 000005
【図４】
2020054475.tif 000006
【図５】
2020054475.tif 000007
【図６】
2020054475.tif 000008
【図７】
2020054475.tif 000009
【図８】
2020054475.tif 000010